(57)【要約】【課題】リサイクル性を向上させる。【解決手段】  底面に、拡孔用のミシン目線を設けた衛生薄葉紙収納箱により解決される。【選択図】図３
2009004921.tif 000002
【特許請求の範囲】
【請求項１】
上面に環状のミシン目線を有する直六面体状の紙箱と、前記ミシン目線内範囲を内側から覆う樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、これに連なる非共通のミシン目線を有し、基端に形成された相互に平行な起立折目線部分を残して、それぞれ裂開可能でかつ相対向して切り起こし可能な２個の屈折片と、
底面と側面との間の稜線の一辺の一部をヒンジとして、そのヒンジ両端から平行な反対側の稜線に向かって延在する、屈曲可能とされるミシン目線により形成されるヒンジ蓋部とを有し
前記ヒンジ蓋部内に前記屈折片が位置されているとともに、ヒンジ蓋部を構成するミシン目線と屈折片を構成するミシン目線とが不連続である、
ことを特徴とする衛生薄葉紙収納箱。
【請求項２】
上面に環状のミシン目線を有する直六面体状の紙箱と、前記ミシン目線内範囲を内側から覆う樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通の裂開用ミシン目線によって相接し、これに連なる非共通の裂開用ミシン目線を有し、基端に形成された相互に平行な起立折目線部分を残して、それぞれ裂開可能でかつ相対向して切り起こし可能な２個の屈折片部と、
前記非共通ミシン目線の途中及び前記非共通ミシン目線の起立折面目線側端にそれぞれ端を発して、紙箱の稜線に向かって放射線状に直線又はアーチ状をもって延在する４本の拡孔用ミシン目線を有し、これら拡孔用のミシン目線の途中又は終端同士を結ぶ起立折り目線を残して切り起こし可能とされた拡孔屈折片部と、
を有することを特徴とする衛生薄葉紙収納箱。
【請求項３】
上面に環状のミシン目線を有する直六面体状の紙箱と、前記ミシン目線内範囲を内側から覆う樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、この共通ミシン目線に連なる第１の非共通のミシン目線を有し、基端に形成された相互に平行な起立折目線部分を残して、それぞれ相対向して切り起こし可能な屈折片部と、
前記共通のミシン目線によって相接し、この共通ミシン目線の第１非共通ミシン目線よりも端側で連なる非共通の拡孔用ミシン目線を有し、基端に形成された相互に平行な起立折目線部分を残して、それぞれ相対向して切り起こし可能な拡孔用屈折片部と、
を有することを特徴とする衛生薄葉紙収納箱。
【発明の詳細な説明】
【技術分野】
【０００１】
本発明は、ティシュペーパー、ペーパータオル、キッチンペーパー等を収納するための衛生薄葉紙収納箱に関する。
【背景技術】
【０００２】
紙箱の上面に環状のミシン目線が形成されており、その環状のミシン目線を切り剥がすことで、紙箱に開口部が形成されるとともに、その開口部内にスリットが露出される衛生薄葉紙収納箱はよく知られる。
この種の衛生薄葉紙収納箱では、前記環状ミシン目線を被覆するようにして、紙箱内面にスリットを有する樹脂性フィルムを貼付した構造を採るのが一般的である。
従って、この種の従来製品では、使用後に樹脂性フィルムと紙箱とを分別するにあたって、紙箱内側のフィルムを剥離する煩雑な操作を有する。
他方、フィルム貼付部分を囲む別のミシン目線を形成し、使用後にこれを引き剥がすことで、フィルム貼付部分を紙箱本体より分離できるように構成した衛生薄葉紙収納箱も開示される（例えば、特許文献１等）。
しかし、この衛生薄葉紙収納箱の構成としても、分離したフィルム貼付部において、さらに紙部分と樹脂製フィルムとを分別する操作が必要であり、操作の煩雑さは軽減されない。
一方、煩雑な操作を有さない衛生薄葉紙収納箱箱として、フィルムを用いない衛生薄葉紙収納箱箱（例えば、特許文献２等）も市販に供されている。
しかし、フィルムを用いた構造のほうがティシュペーパーを取り出し易い傾向にあり、また防湿性、シール性及び防水性の点でもフィルムを用いたもののほうが優れる。
他方、従来の衛生薄葉紙収納箱は、一度に大量のティシュペーパーが必要な場合、数十回のポップアップ作業を繰り返すか、又は箱を破壊して内部に収められたティシュペーパー束を取り出すしかない。
さらに、この種の衛生薄葉紙収納箱では、例えば使用が進んで内部のティシュペーパーの残量が少なくなると、ティシュペーパー束と紙箱上面との距離が離間するため、取り出しがたくなることが知られており、これに鑑みてティシュペーパー残が少なくなった場合の取り出し性の悪化を防止する技術を確保する必要がある。
【特許文献１】特開２０００−２８１１５５
【特許文献２】特開２００５−２２５５６３
【発明の開示】
【発明が解決しようとする課題】
【０００３】
そこで、本発明の主たる課題は、スリットを配したフィルムと紙箱部とを容易に分別することができ、しかも、例えばティシュペーパー残量が少なくなった場合の取り出し性低下を防止することができる衛生薄葉紙収納箱を提供することにある。
【課題を解決するための手段】
【０００４】
上記課題を解決した本発明は次記の通りである。
＜請求項１記載の発明＞
上面に環状のミシン目線を有する直六面体状の紙箱と、前記ミシン目線内範囲を内側から覆う樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、これに連なる非共通のミシン目線を有し、基端に形成された相互に平行な起立折目線部分を残して、それぞれ裂開可能でかつ相対向して切り起こし可能な２個の屈折片と、
底面と側面との間の稜線の一辺の一部をヒンジとして、そのヒンジ両端から平行な反対側の稜線に向かって延在する、屈曲可能とされるミシン目線により形成されるヒンジ蓋部とを有し
前記ヒンジ蓋部内に前記屈折片が位置されているとともに、ヒンジ蓋部を構成するミシン目線と屈折片を構成するミシン目線とが不連続である、
ことを特徴とする衛生薄葉紙収納箱。【０００５】
＜請求項２記載の発明＞
上面に環状のミシン目線を有する直六面体状の紙箱と、前記ミシン目線内範囲を内側から覆う樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通の裂開用ミシン目線によって相接し、これに連なる非共通の裂開用ミシン目線を有し、基端に形成された相互に平行な起立折目線部分を残して、それぞれ裂開可能でかつ相対向して切り起こし可能な２個の屈折片部と、
前記非共通ミシン目線の途中及び前記非共通ミシン目線の起立折面目線側端にそれぞれ端を発して、紙箱の稜線に向かって放射線状に直線又はアーチ状をもって延在する４本の拡孔用ミシン目線を有し、これら拡孔用のミシン目線の途中又は終端同士を結ぶ起立折り目線を残して切り起こし可能とされた拡孔屈折片部と、
を有することを特徴とする衛生薄葉紙収納箱。【０００６】
＜請求項３記載の発明＞
上面に環状のミシン目線を有する直六面体状の紙箱と、前記ミシン目線内範囲を内側から覆う樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、この共通ミシン目線に連なる第１の非共通のミシン目線を有し、基端に形成された相互に平行な起立折目線部分を残して、それぞれ相対向して切り起こし可能な屈折片部と、
前記共通のミシン目線によって相接し、この共通ミシン目線の第１非共通ミシン目線よりも端側で連なる非共通の拡孔用ミシン目線を有し、基端に形成された相互に平行な起立折目線部分を残して、それぞれ相対向して切り起こし可能な拡孔用屈折片部と、
を有することを特徴とする衛生薄葉紙収納箱。
【発明の効果】
【０００７】
以上詳述のとおり、本発明によれば、スリットを配したフィルムと紙箱部とを容易に分別することができる、衛生薄葉紙収納箱が提供される。
【発明を実施するための最良の形態】
【０００８】
次いで、本発明の実施の形態を図面を参照しながら以下に詳述する。
（第１の実施の形態）
第１の実施の形態を図１〜４を参照しながら以下に詳述する。図１は、本実施形態の衛生薄葉紙収納箱Ｘ１の上面１Ｕ側からの斜視図であり、図２は衛生薄葉紙収納箱、例えばティシュペーパー取り出し時の状態を示す斜視図であり、図３は、本実施形態の衛生薄葉紙収納箱Ｘ１の底面１Ｂ側からの斜視図であり、図４は、本形態のヒンジ蓋部を使用したときの状態を示す斜視図である。【０００９】
本形態の衛生薄葉紙収納箱Ｘ１は、上面に環状のミシン目線１１を有する紙箱１と、前記ミシン目線内範囲１１ａを内側から覆う樹脂製フィルム２とを備える。
紙箱１は、衛生薄葉紙収納箱Ｘ１の外形をなす直六面体の紙製の箱体であり、その大きさ、形状、展開形状等は既知の衛生薄葉紙収納箱の紙箱の構成を採用できる。
例えば、底面、上面及びこれらを連接する側面と、各面の長手方向両側縁に連接された底面側端面片、側面端面片、上面側端面片とを有し、前記側面端面片を箱内面側に折り返した後、これに重ねて上面側端面片と底面側端面片とを折り曲げ、各片の当接部分をホットメルト接着材等により接着して構成される構造のものが代表的である。【００１０】
他方、本形態の紙箱１は、その外面に適宜の模様が印刷されている。図示例では、複数の花の絵１ｂ，１ｂ…を点在するように配して花柄模様が配されているが、模様は、この花柄に限定されることなく、螺旋模様、波模様、ドット模様、亀甲模様、星模様、十字模様、幾何学模様など適宜の文字・図形・絵・記号の単体又はこれらの組み合わせにより構成される適宜の模様を採用することができる。
模様を配する範囲は、紙箱外面の全体に配されているのが望ましいが、上面１Ｕのみであってもよい。
紙箱外面に対する模様の付与は、グラビア印刷等の既知の印刷方法により行うことができる。【００１１】
他方、紙箱１の上面１Ｕに形成される環状のミシン目線１１は、既知の方法により形成され、これにより囲まれる範囲１１ａの具体的形状についても限定されない。従来既知の形状を採用できる。具体的には、図示例の如く、紙箱上面の長手方向に沿う方向を長辺とする略楕円形状が代表的に採用される。
他方、樹脂製フィルム２は、取り出し口２（ミシン目線により囲まれる範囲１１ａ）のサイズより大きく、例えば、方形であり紙箱１上面の内面面側に接着剤により接着されている。【００１２】
前記樹脂製フィルム２のスリット２１はミシン目線により囲まれる範囲１１ａに位置されており、前記環状ミシン目線１１に沿ってミシン目線により囲まれる範囲１１ａを引き剥がすことにより、図２に示されるように、取り出し口１２が形成されるとともに、前記樹脂製フィルム２及びそれに形成されたスリット２１が取り出し口１２を介して露出される。
紙箱１への接着に用いる接着剤の種類は特に限定されない。好適には、リサイクルの点で水性接着剤が好ましい。
スリット２１の長さは、取り出し口１２の長手方向全長より短くすることが望ましいが、取り出し口１２の長手方向全長と同じ長さにすることもでき、さらに、フィルム２の長手方向長さより短い条件の下で、取り出し口１２の長手方向全長より長くすることもできる。【００１３】
紙箱１と樹脂製フィルム２との接着力（剥離強度）は特に限定されない。従来製品における紙箱１と樹脂製フィルム２との接着力と同程度でよい。
樹脂性フィルム２の好適な素材は、ポリエチレンフィルムであるが、ポリプロピレン、ポリエステルなども例示できる。
厚みは、３０〜２００μｍが適する。３０μｍ未満では、強度的に不足し、ティシュペーパーの取り出し時において裂けあるいは破断の確率が高くなる。逆に、２００μｍを超えると、強度の問題はないものの、取り出し難くなり、またコスト高となる。【００１４】
他方、本形態の衛生薄葉紙収納箱Ｘ１は、特に図３に示すように、紙箱１の底面１Ｂのほぼ中央に、共通のミシン目線３１によって相接し、これに連なる非共通のミシン目線３２，３２を有し、基端に形成された相互に平行な起立折目線部分３３，３３を残して、それぞれ裂開可能でかつ相対向して切り起こし可能な２個の屈折片３０，３０を有する。
この屈折片３０，３０を箱内面側に押し上げることで、内部のティシュペーパー残量が少なくなった場合にも、ティシュペーパー束の上面が前記取り出し口近くに位置され、取り出し性の低下がなくなる。【００１５】
さらに、本形態の衛生薄葉紙収納箱Ｘ１は、紙箱１の底面１Ｂに特徴的な、底面１Ｂと側面との間の稜線の一辺の一部をヒンジ４１とし、そのヒンジ４１両端から平行な反対側の稜線に向かって延在するミシン目線４２により形成されるヒンジ蓋部４０を有する。
図示例では、ヒンジ４１は紙箱１の長手稜線１Ｌの中央部分とされているが、例えば、短手稜線をヒンジとしてもよい。
また、本形態のヒンジ蓋部４０を構成するミシン目線４２は、ヒンジ４１と反対側の蓋自由端側が凸の円弧形状となっているとともに、その先端に稜線を超えて側面に至る摘み端部４３を有している。【００１６】
そして、前記ヒンジ蓋部４０内に前記屈折片部３０，３０が位置されているとともに、ヒンジ蓋部４０を構成するミシン目線４１，４３と屈折片３０を構成するミシン目線３１，３２とが不連続となっている。
従って、前記屈折片３０，３０とヒンジ蓋部４０とは、別々にミシン目線を裂開して形成することができ、また、裂開作業時に互いのミシン目線を意図せずに裂開させるおそれがほとんどない。【００１７】
そのうえ、ヒンジ蓋部４０は、摘み端部４３を指で押し込むことで、指が稜線に引っかかり、その状態からミシン目線４２を裂開させるようにヒンジ蓋部４０を引き上げる簡易な操作でミシン目線４２が裂開される。
このようにミシン目線４２が裂開されると、屈折片３０，３０の形成の有無に関わらず、特に図４に示されるように、前記ヒンジ４１とする蓋４０Ｆが形成され、かかる蓋４０Ｆを開くことで、箱底面に開口部１Ｗが形成され箱内部にアクセスすることができるようになる。【００１８】
ここで、ヒンジ蓋部４０は、箱内部に手をいれてアクセスして適当量のティシュペーパー束を取り出したり、また、内部のティシュペーパーを全て前記取り出し口から取り出し終わった後、衛生薄葉紙収納箱廃棄にあたって樹脂製フィルムを引き剥がししたりするために使用する開口部の形成を目的とすることから、ヒンジ４１の長さは具体的には、８５〜２４０ｍｍ程度とするのがよい。ヒンジの長さが８５ｍｍ以下であると樹脂製フィルムを引き剥がす時に手が入れづらくなる。また、２４０ｍｍ以上であるとミシン目を開封しづらくなる。
また、ミシン目線４２のヒンジと反対側の稜線との間の距離を６５ｍｍ以下とするのがよい。６５ｍｍ以下であると樹脂製フィルムを引き剥がす時に手が入る大きさの開口を形成し難くなる。【００１９】
また、ヒンジ４１は、稜線の１／５〜２／３とするのがよい。ヒンジが稜線の１／５以下であるとティシュペーパー束をまとめて取り出しづらくなる。また、ヒンジが稜線の２／３以上であると蓋４０Ｆを開いた際に、内部のティシュペーパー束が底面１Ｂの蓋４０Ｆにならない部分によって保持されず、不必要にティシュペーパー束が取り出される事故が起きやすくなる。内部のティシュペーパー束を全部取り出さない場合に特に適する。【００２０】
以上説明の衛生薄葉紙収納箱Ｘ１は、特に複数のティシュペーパーを所謂ポップアップ式に重畳してなるティシュペーパー束を内部に収容することで、図２に示されるように、スリット２１からティシュペーパーＰを一枚一枚取り出して使用する種のティシュペーパー製品の一部を構成する。【００２１】
ティシュペーパーＰ自体の大きさ、紙厚、プライ数及び組成は本発明では限定されない。また、ティシュペーパーＰは既知の薄様紙の抄紙技術にしたがって製造することができる。
抄紙には、例えば、抄紙原料を実質的に湿紙に形成するワイヤーパート、湿紙を脱水するプレスパート、脱水された湿紙を乾燥するドライヤーパートの少なくとも３つのパートから成る、公知種々の抄紙機を用いることができる。【００２２】
ティシュペーパーの好適な坪量としては、例えば、１０〜４０ｇ／ｍ2（ＪＩＳ  Ｐ  ８１２４）、１枚あたりの好適な紙厚２５〜８００μｍ、好適な乾燥引張強度は、縦方向；１５０〜８００ｃＮ／幅１５ｍｍ×２５０ｍｍ、横方向；５０〜４００ｃＮ／幅１５ｍｍ×２５０ｍｍ（ＪＩＳ  Ｐ  ８１１３）である。また、好適なソフトネスは０．５〜６．０ｇ（ＪＩＳ Ｌ１０９６）、ＭＭＤは３〜１８、伸びは５〜４０％の範囲である。【００２３】
ティシュペーパー束の製造は、既知のインターホルダーによりティシュペーパー原紙を折り畳んだ後に、所定の大きさに切断する既知の方法を採用できる。
なお、本発明においては、ティシュペーパー束の高さや大きさ等は特に限定されるものではなく、収容する衛生薄葉紙収納箱の大きさに併せて適宜変更することができる。【００２４】
さらに、衛生薄葉紙収納箱内に収められた全てのティシュペーパーＰを引き出して、その使用を終えたときには、前記ヒンジ蓋部４０を構成するミシン目線４２，４３を裂開して蓋４０Ｆを形成し、この蓋４０Ｆを開けて紙箱内面にアクセスして、樹脂製フィルム２の端部をもって、樹脂製フィルムを紙箱から剥離する。
また、ティシュペーパーを束として取り出したいときは、屈折片部３０，３０を構成するミシン目線３１，３２の裂開と関係なく、蓋４０Ｆを形成して衛生薄葉紙収納箱内のティシュペーパー束を取り出すようにすればよい。【００２５】
（第２の実施の形態）
次いで、第２の実施の形態を図５に基づいて説明する。
第２の実施の形態は、衛生薄葉紙収納箱底面の構成以外の構成については、第１の実施の形態と同様である。以下、第１の実施の形態と同様の構成については省略し、第１の実施の形態と相違する構成について説明する。【００２６】
本形態の衛生薄葉紙収納箱Ｘ２は、屈折片部３０，３０の非共通ミシン目線３１，３１の途中及び前記非共通ミシン目線３１，３１の起立折面目線側端にそれぞれ端を発して、紙箱１の底面の稜線に向かって延在する４本の拡孔用ミシン目線５１，５１…を有する。
この各拡孔用ミシン目線５１，５１…は、各屈折片部側の端５１ａから、放射状に直線又は若干のアーチ状をもって稜線側に向かっており、各拡孔用ミシン目線５１の稜線側の端５１ａ，５１ａ…を結んで形成される四角形の図形内に、前記屈折片部３０，３０が位置されるように構成されている。【００２７】
この拡孔用ミシン目線５１，５１…の存在により、屈折片部３０，３０を構成するミシン目線３１，３２を裂開したのち、さらに各拡孔用ミシン目線５１を裂開し、この拡孔用ミシン目線の途中又は終端同士を結ぶ起立折り目線を残して切り起こすことで計４つの拡孔屈折片が形成される。
拡孔屈折片の起立折り目線は、拡孔用ミシン目線５１の終端５１ｂとするのが望ましく、この拡孔用屈折片の起立折り目線は、紙箱の底面と側面との稜線と平行となるのが望ましい。【００２８】
従って、拡孔用ミシン目線５１の終端５１ｂを結ぶ線で構成される四角形が長方形であり、かつ各辺が衛生薄葉紙収納箱の底面を構成する縁辺（稜線）１Ｌ，１Ｓと平行となっているのがよい。
この場合、短手稜線１Ｓに平行な短手方向折り線５１Ｓ及び長手稜線１Ｌに平行な長手方向折り線５１Ｌの具体的な長さとしては、短手方向折り線５１Ｓは、６５ｍｍ以上がよく、長手方向折り線５１Ｌは、８５ｍｍ以上がよい。
これらの長さを確保すれば、十分に箱内面に手をいれてアクセスすることが可能となる。また、短手方向折り線５１Ｓの長さと長手方向折り線５１Ｌの長さは入れ替えても良い。【００２９】
使用の方法としては、例えば、衛生薄葉紙収納箱内のティシュペーパー残量が少なくなったときには、屈折片部３０，３０を箱内面側に押し上げて屈折片を形成し、ティシュペーパー束の上面を前記取り出し口近くに位置して取り出し性を向上させ、さらに、全てのティシュペーパーを使い切ったときに、その屈折片形成により必然的に紙箱の底面に形成される開口部から指を箱内にいれて、拡孔用ミシン目線５１を裂開させるようにして、外面側に拡孔屈折片を切り起こす。
この拡孔用屈折片の切り起こしにより形成される紙箱底面の開口部から、箱内にアクセスして内部の樹脂製フィルム２を箱内面から引き剥がして分離する。
また、ティシュペーパーを束として取り出したいときは、屈折片部を構成するミシン目線と拡孔用ミシン目線とを裂開して箱外面側に、拡孔用屈折片を切り起こし衛生薄葉紙収納箱内のティシュペーパー束を取り出すようにすればよい。【００３０】
（第３の実施の形態）
次いで、第３の実施の形態を図６に基づいて説明する。
第３の実施の形態は、衛生薄葉紙収納箱底面の構成以外の構成については、第１の実施の形態と同様である。以下、第１の実施の形態と同様の構成については省略し、第１の実施の形態と相違する構成について説明する。【００３１】
本形態の衛生薄葉紙収納箱Ｘ３は、前記紙箱１の底面１Ｂに屈折片部３０，３０を構成する共通ミシン目線３１と共有する共通ミシン目線３１’によって相接し、この共通ミシン目線３１に対して、屈折片部３０を構成する第１の非共通ミシン目線３２よりも端側で連なる非共通の拡孔用ミシン目線５１、５１を有する。
本形態におけるこの拡孔用ミシン目線５１は、屈折片部３０を構成する非共通のミシン目線（第１の非共通ミシン目線）３２と交わることなく配される。【００３２】
従って、共通ミシン目線３１、３１’と拡孔用ミシン目線５１、５１とを裂開して拡孔用ミシン目線５１、５１の途中又は終端５１ｂ、５１ｂに形成された相互に平行な起立折目線部分を残して、それぞれ相対向して切り起こすと拡孔用屈折片部が形成される。
図示例では、第１の非共通ミシン目線３２と拡孔用ミシン目線５１とが一定間隔で並列されており、拡孔用屈折片部６０と屈折片部３０とが相似形をなしているが、かならずしもこれに限定されない。
他方、屈折片部３０，３０の起立折り目線３３，３３と拡孔用屈折片部６０，６０の起立折り目線６３，６３が平行に構成されているのが望ましく、また、各起立折り目線３３，６３は非共通のミシン目線３２，５１の終端から紙箱底面の稜線に平行となる線であるのがよい。【００３３】
使用の方法については、第２の実施の形態と同様に、衛生薄葉紙収納箱内のティシュペーパー残量が少なくなったときには、屈折片部３０，３０を箱内面側に押し上げて、ティシュペーパー束の上面を前記取り出し口近くに位置して取り出し性を向上させ、さらに、全てティシュペーパーを使い切ったときに、その屈折片形成により必然的に紙箱の底面に形成される開口部から指を箱内にいれて、共通ミシン目線３１’をさらに裂開させるとともに、拡孔用屈折片を構成する非共通のミシン目線５１、５１を裂開して、外面側に拡孔屈折片を切り起こす。
この拡孔用屈折片の切り起こしにより形成される紙箱底面の開口部から、内にアクセスして内部の樹脂製フィルム２を箱内面から引き剥がして分離する。
また、ティシュペーパーを束として取り出したいときは、屈折片部３０を構成するミシン目線のうちの共通ミシン目線３０と拡孔用の共通及び非共通のミシン目線とを裂開して箱外面側に、拡孔用屈折片を切り起こし衛生薄葉紙収納箱内のティシュペーパー束を取り出すようにすればよい。
【産業上の利用可能性】
【００３４】
本発明は、所謂ポップアップ式で折り畳まれたシート束を収容する収容箱に利用可能である。
【図面の簡単な説明】
【００３５】
【図１】第１の実施の形態の衛生薄葉紙収納箱の上面側からの斜視図である。
【図２】第１の実施の形態の衛生薄葉紙収納箱のティシュペーパー引き出し時の斜視図である。
【図３】第１の実施の形態の衛生薄葉紙収納箱の底面側からの斜視図である。
【図４】第１の実施の形態の衛生薄葉紙収納箱の底面の蓋を開いた状態の斜視図である。
【図５】第２の実施の形態の衛生薄葉紙収納箱の底面図である。
【図６】第３の実施の形態の衛生薄葉紙収納箱の底面図である。
【符号の説明】
【００３６】
１…紙箱、１Ｕ…紙箱上面、１Ｂ…紙箱底面、１Ｌ…長手稜線、１Ｗ…箱底面の開口部、１ｂ…紙箱外面の模様を構成する図（花の絵）、２…樹脂製フィルム、２ａ…樹脂製フィルムの地の部分、２ｂ…樹脂製フィルムの模様を構成する図（花の絵）、１１…環状ミシン目線、１１ａ…環状ミシン目線により囲まれる範囲、１２…取り出し口、２１…スリット、３０…屈折片、３１，３１’…共通ミシン目線、３２…非共通ミシン目線、３３…起立折目線部分、４０…ヒンジ蓋部、４０Ｆ…蓋、４１…ヒンジ、４２…ヒンジ蓋部構成ミシン目線、４３…摘み端部、５１…拡孔用ミシン目線，５１ａ…拡孔用ミシン目線の屈折片部側の端、５１ｂ…拡孔用ミシン目線の終端、５１Ｓ…短手方向起立折り線、５１Ｌ…長手方向起立折り線、６０…拡孔用屈折片部、Ｐ…ティシュペーパー、Ｘ１〜Ｘ３…衛生薄葉紙収納箱。
【図１】
2009004921.tif 000003
【図２】
2009004921.tif 000004
【図３】
2009004921.tif 000005
【図４】
2009004921.tif 000006
【図５】
2009004921.tif 000007
【図６】
2009004921.tif 000008
【手続補正書】
【提出日】平成21年11月2日(2009.11.2)
【手続補正１】
【補正対象書類名】明細書
【補正対象項目名】全文
【補正方法】変更
【補正の内容】
【発明の詳細な説明】
【技術分野】
【０００１】
本発明は、ティシュペーパー、ペーパータオル、キッチンペーパー等を収納するための衛生薄葉紙収納箱に関する。
【背景技術】
【０００２】
紙箱の上面に環状のミシン目線が形成されており、その環状のミシン目線を切り剥がすことで、紙箱に開口部が形成されるとともに、その開口部内にスリットが露出される衛生薄葉紙収納箱はよく知られる。
この種の衛生薄葉紙収納箱では、前記環状ミシン目線を被覆するようにして、紙箱内面にスリットを有する樹脂性フィルムを貼付した構造を採るのが一般的である。
従って、この種の従来製品では、使用後に樹脂性フィルムと紙箱とを分別するにあたって、紙箱内側のフィルムを剥離する煩雑な操作を有する。
他方、フィルム貼付部分を囲む別のミシン目線を形成し、使用後にこれを引き剥がすことで、フィルム貼付部分を紙箱本体より分離できるように構成した衛生薄葉紙収納箱も開示される（例えば、特許文献１等）。
しかし、この衛生薄葉紙収納箱の構成としても、分離したフィルム貼付部において、さらに紙部分と樹脂製フィルムとを分別する操作が必要であり、操作の煩雑さは軽減されない。
一方、煩雑な操作を有さない衛生薄葉紙収納箱として、フィルムを用いない衛生薄葉紙収納箱箱（例えば、特許文献２等）も市販に供されている。
しかし、フィルムを用いた構造のほうがティシュペーパーを取り出し易い傾向にあり、また防湿性、シール性及び防水性の点でもフィルムを用いたもののほうが優れる。
他方、従来の衛生薄葉紙収納箱は、一度に大量のティシュペーパーが必要な場合、数十回のポップアップ作業を繰り返すか、又は箱を破壊して内部に収められたティシュペーパー束を取り出すしかない。
さらに、この種の衛生薄葉紙収納箱では、例えば使用が進んで内部のティシュペーパーの残量が少なくなると、ティシュペーパー束と紙箱上面との距離が離間するため、取り出しがたくなることが知られており、これに鑑みてティシュペーパー残が少なくなった場合の取り出し性の悪化を防止する技術を確保する必要がある。
【特許文献１】特開２０００−２８１１５５
【特許文献２】特開２００５−２２５５６３
【発明の開示】
【発明が解決しようとする課題】
【０００３】
そこで、本発明の主たる課題は、スリットを配したフィルムと紙箱部とを容易に分別することができ、しかも、例えばティシュペーパー残量が少なくなった場合の取り出し性低下を防止することができる衛生薄葉紙収納箱を提供することにある。
【課題を解決するための手段】
【０００４】
上記課題を解決した本発明は次記の通りである。
＜請求項１記載の発明＞
上面に環状のミシン目線を有する直六面体状の紙箱と、前記ミシン目線内範囲を内側から覆うスリットを有する樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、これに連なる非共通のミシン目線を有し、基端に形成された相互に平行な起立折目線部分を残して、それぞれ裂開可能でかつ相対向して切り起こし可能な２個の屈折片と、
底面と側面との間の稜線の一辺の一部をヒンジとして、そのヒンジ両端から平行な反対側の稜線に向かって延在する、屈曲可能とされるミシン目線により形成されるヒンジ蓋部とを有し
前記ヒンジ蓋部内に前記屈折片が位置されているとともに、ヒンジ蓋部を構成するミシン目線と屈折片を構成するミシン目線とが不連続である、
ことを特徴とする衛生薄葉紙収納箱。
【０００５】
＜請求項２記載の発明＞
上面に環状のミシン目線を有する直六面体状の紙箱と、前記ミシン目線内範囲を内側から覆うスリットを有する樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通の裂開用ミシン目線によって相接し、これに連なる非共通の裂開用ミシン目線を有し、基端に形成された相互に平行な起立折目線部分を残して、それぞれ裂開可能でかつ相対向して切り起こし可能な２個の屈折片部と、
前記非共通ミシン目線の途中及び前記非共通ミシン目線の起立折面目線側端にそれぞれ端を発して、紙箱の稜線に向かって放射線状に直線又はアーチ状をもって延在する４本の拡孔用ミシン目線を有し、これら拡孔用のミシン目線の途中又は終端同士を結ぶ起立折り目線を残して切り起こし可能とされた拡孔屈折片部と、
を有することを特徴とする衛生薄葉紙収納箱。
【０００６】
＜請求項３記載の発明＞
上面に環状のミシン目線を有する直六面体状の紙箱と、前記ミシン目線内範囲を内側から覆うスリットを有する樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、この共通ミシン目線に連なる第１の非共通のミシン目線を有し、基端に形成された相互に平行な起立折目線部分を残して、それぞれ相対向して切り起こし可能な屈折片部と、
前記共通のミシン目線によって相接し、この共通ミシン目線の第１非共通ミシン目線よりも端側で連なる非共通の拡孔用ミシン目線を有し、基端に形成された相互に平行な起立折目線部分を残して、それぞれ相対向して切り起こし可能な拡孔用屈折片部と、
を有することを特徴とする衛生薄葉紙収納箱。
【発明の効果】
【０００７】
以上詳述のとおり、本発明によれば、スリットを配したフィルムと紙箱部とを容易に分別することができる、衛生薄葉紙収納箱が提供される。
【発明を実施するための最良の形態】
【０００８】
次いで、本発明の実施の形態を図面を参照しながら以下に詳述する。
（第１の実施の形態）
第１の実施の形態を図１〜４を参照しながら以下に詳述する。図１は、本実施形態の衛生薄葉紙収納箱Ｘ１の上面１Ｕ側からの斜視図であり、図２は衛生薄葉紙収納箱、例えばティシュペーパー取り出し時の状態を示す斜視図であり、図３は、本実施形態の衛生薄葉紙収納箱Ｘ１の底面１Ｂ側からの斜視図であり、図４は、本形態のヒンジ蓋部を使用したときの状態を示す斜視図である。
【０００９】
本形態の衛生薄葉紙収納箱Ｘ１は、上面に環状のミシン目線１１を有する紙箱１と、前記ミシン目線内範囲１１ａを内側から覆う樹脂製フィルム２とを備える。
紙箱１は、衛生薄葉紙収納箱Ｘ１の外形をなす直六面体の紙製の箱体であり、その大きさ、形状、展開形状等は既知の衛生薄葉紙収納箱の紙箱の構成を採用できる。
例えば、底面、上面及びこれらを連接する側面と、各面の長手方向両側縁に連接された底面側端面片、側面端面片、上面側端面片とを有し、前記側面端面片を箱内面側に折り返した後、これに重ねて上面側端面片と底面側端面片とを折り曲げ、各片の当接部分をホットメルト接着材等により接着して構成される構造のものが代表的である。
【００１０】
他方、本形態の紙箱１は、その外面に適宜の模様が印刷されている。図示例では、複数の花の絵１ｂ，１ｂ…を点在するように配して花柄模様が配されているが、模様は、この花柄に限定されることなく、螺旋模様、波模様、ドット模様、亀甲模様、星模様、十字模様、幾何学模様など適宜の文字・図形・絵・記号の単体又はこれらの組み合わせにより構成される適宜の模様を採用することができる。
模様を配する範囲は、紙箱外面の全体に配されているのが望ましいが、上面１Ｕのみであってもよい。
紙箱外面に対する模様の付与は、グラビア印刷等の既知の印刷方法により行うことができる。
【００１１】
他方、紙箱１の上面１Ｕに形成される環状のミシン目線１１は、既知の方法により形成され、これにより囲まれる範囲１１ａの具体的形状についても限定されない。従来既知の形状を採用できる。具体的には、図示例の如く、紙箱上面の長手方向に沿う方向を長辺とする略楕円形状が代表的に採用される。
他方、樹脂製フィルム２は、取り出し口２（ミシン目線により囲まれる範囲１１ａ）のサイズより大きく、例えば、方形であり紙箱１上面の内面面側に接着剤により接着されている。
【００１２】
前記樹脂製フィルム２のスリット２１はミシン目線により囲まれる範囲１１ａに位置されており、前記環状ミシン目線１１に沿ってミシン目線により囲まれる範囲１１ａを引き剥がすことにより、図２に示されるように、取り出し口１２が形成されるとともに、前記樹脂製フィルム２及びそれに形成されたスリット２１が取り出し口１２を介して露出される。
紙箱１への接着に用いる接着剤の種類は特に限定されない。好適には、リサイクルの点で水性接着剤が好ましい。
スリット２１の長さは、取り出し口１２の長手方向全長より短くすることが望ましいが、取り出し口１２の長手方向全長と同じ長さにすることもでき、さらに、フィルム２の長手方向長さより短い条件の下で、取り出し口１２の長手方向全長より長くすることもできる。
【００１３】
紙箱１と樹脂製フィルム２との接着力（剥離強度）は特に限定されない。従来製品における紙箱１と樹脂製フィルム２との接着力と同程度でよい。
樹脂性フィルム２の好適な素材は、ポリエチレンフィルムであるが、ポリプロピレン、ポリエステルなども例示できる。
厚みは、３０〜２００μｍが適する。３０μｍ未満では、強度的に不足し、ティシュペーパーの取り出し時において裂けあるいは破断の確率が高くなる。逆に、２００μｍを超えると、強度の問題はないものの、取り出し難くなり、またコスト高となる。
【００１４】
他方、本形態の衛生薄葉紙収納箱Ｘ１は、特に図３に示すように、紙箱１の底面１Ｂのほぼ中央に、共通のミシン目線３１によって相接し、これに連なる非共通のミシン目線３２，３２を有し、基端に形成された相互に平行な起立折目線部分３３，３３を残して、それぞれ裂開可能でかつ相対向して切り起こし可能な２個の屈折片３０，３０を有する。
この屈折片３０，３０を箱内面側に押し上げることで、内部のティシュペーパー残量が少なくなった場合にも、ティシュペーパー束の上面が前記取り出し口近くに位置され、取り出し性の低下がなくなる。
【００１５】
さらに、本形態の衛生薄葉紙収納箱Ｘ１は、紙箱１の底面１Ｂに特徴的な、底面１Ｂと側面との間の稜線の一辺の一部をヒンジ４１とし、そのヒンジ４１両端から平行な反対側の稜線に向かって延在するミシン目線４２により形成されるヒンジ蓋部４０を有する。
図示例では、ヒンジ４１は紙箱１の長手稜線１Ｌの中央部分とされているが、例えば、短手稜線をヒンジとしてもよい。
また、本形態のヒンジ蓋部４０を構成するミシン目線４２は、ヒンジ４１と反対側の蓋自由端側が凸の円弧形状となっているとともに、その先端に稜線を超えて側面に至る摘み端部４３を有している。
【００１６】
そして、前記ヒンジ蓋部４０内に前記屈折片部３０，３０が位置されているとともに、ヒンジ蓋部４０を構成するミシン目線４１，４３と屈折片３０を構成するミシン目線３１，３２とが不連続となっている。
従って、前記屈折片３０，３０とヒンジ蓋部４０とは、別々にミシン目線を裂開して形成することができ、また、裂開作業時に互いのミシン目線を意図せずに裂開させるおそれがほとんどない。
【００１７】
そのうえ、ヒンジ蓋部４０は、摘み端部４３を指で押し込むことで、指が稜線に引っかかり、その状態からミシン目線４２を裂開させるようにヒンジ蓋部４０を引き上げる簡易な操作でミシン目線４２が裂開される。
このようにミシン目線４２が裂開されると、屈折片３０，３０の形成の有無に関わらず、特に図４に示されるように、前記ヒンジ４１とする蓋４０Ｆが形成され、かかる蓋４０Ｆを開くことで、箱底面に開口部１Ｗが形成され箱内部にアクセスすることができるようになる。
【００１８】
ここで、ヒンジ蓋部４０は、箱内部に手をいれてアクセスして適当量のティシュペーパー束を取り出したり、また、内部のティシュペーパーを全て前記取り出し口から取り出し終わった後、衛生薄葉紙収納箱廃棄にあたって樹脂製フィルムを引き剥がししたりするために使用する開口部の形成を目的とすることから、ヒンジ４１の長さは具体的には、８５〜２４０ｍｍ程度とするのがよい。ヒンジの長さが８５ｍｍ以下であると樹脂製フィルムを引き剥がす時に手が入れづらくなる。また、２４０ｍｍ以上であるとミシン目を開封しづらくなる。
また、ミシン目線４２のヒンジと反対側の稜線との間の距離を６５ｍｍ以下とするのがよい。６５ｍｍ以下であると樹脂製フィルムを引き剥がす時に手が入る大きさの開口を形成し難くなる。
【００１９】
また、ヒンジ４１は、稜線の１／５〜２／３とするのがよい。ヒンジが稜線の１／５以下であるとティシュペーパー束をまとめて取り出しづらくなる。また、ヒンジが稜線の２／３以上であると蓋４０Ｆを開いた際に、内部のティシュペーパー束が底面１Ｂの蓋４０Ｆにならない部分によって保持されず、不必要にティシュペーパー束が取り出される事故が起きやすくなる。内部のティシュペーパー束を全部取り出さない場合に特に適する。
【００２０】
以上説明の衛生薄葉紙収納箱Ｘ１は、特に複数のティシュペーパーを所謂ポップアップ式に重畳してなるティシュペーパー束を内部に収容することで、図２に示されるように、スリット２１からティシュペーパーＰを一枚一枚取り出して使用する種のティシュペーパー製品の一部を構成する。
【００２１】
ティシュペーパーＰ自体の大きさ、紙厚、プライ数及び組成は本発明では限定されない。また、ティシュペーパーＰは既知の薄様紙の抄紙技術にしたがって製造することができる。
抄紙には、例えば、抄紙原料を実質的に湿紙に形成するワイヤーパート、湿紙を脱水するプレスパート、脱水された湿紙を乾燥するドライヤーパートの少なくとも３つのパートから成る、公知種々の抄紙機を用いることができる。
【００２２】
ティシュペーパーの好適な坪量としては、例えば、１０〜４０ｇ／ｍ2（ＪＩＳ  Ｐ  ８１２４）、１枚あたりの好適な紙厚２５〜８００μｍ、好適な乾燥引張強度は、縦方向；１５０〜８００ｃＮ／幅１５ｍｍ×２５０ｍｍ、横方向；５０〜４００ｃＮ／幅１５ｍｍ×２５０ｍｍ（ＪＩＳ  Ｐ  ８１１３）である。また、好適なソフトネスは０．５〜６．０ｇ（ＪＩＳ Ｌ１０９６）、ＭＭＤは３〜１８、伸びは５〜４０％の範囲である。
【００２３】
ティシュペーパー束の製造は、既知のインターホルダーによりティシュペーパー原紙を折り畳んだ後に、所定の大きさに切断する既知の方法を採用できる。
なお、本発明においては、ティシュペーパー束の高さや大きさ等は特に限定されるものではなく、収容する衛生薄葉紙収納箱の大きさに併せて適宜変更することができる。
【００２４】
さらに、衛生薄葉紙収納箱内に収められた全てのティシュペーパーＰを引き出して、その使用を終えたときには、前記ヒンジ蓋部４０を構成するミシン目線４２，４３を裂開して蓋４０Ｆを形成し、この蓋４０Ｆを開けて紙箱内面にアクセスして、樹脂製フィルム２の端部をもって、樹脂製フィルムを紙箱から剥離する。
また、ティシュペーパーを束として取り出したいときは、屈折片部３０，３０を構成するミシン目線３１，３２の裂開と関係なく、蓋４０Ｆを形成して衛生薄葉紙収納箱内のティシュペーパー束を取り出すようにすればよい。
【００２５】
（第２の実施の形態）
次いで、第２の実施の形態を図５に基づいて説明する。
第２の実施の形態は、衛生薄葉紙収納箱底面の構成以外の構成については、第１の実施の形態と同様である。以下、第１の実施の形態と同様の構成については省略し、第１の実施の形態と相違する構成について説明する。
【００２６】
本形態の衛生薄葉紙収納箱Ｘ２は、屈折片部３０，３０の非共通ミシン目線３１，３１の途中及び前記非共通ミシン目線３１，３１の起立折面目線側端にそれぞれ端を発して、紙箱１の底面の稜線に向かって延在する４本の拡孔用ミシン目線５１，５１…を有する。
この各拡孔用ミシン目線５１，５１…は、各屈折片部側の端５１ａから、放射状に直線又は若干のアーチ状をもって稜線側に向かっており、各拡孔用ミシン目線５１の稜線側の端５１ａ，５１ａ…を結んで形成される四角形の図形内に、前記屈折片部３０，３０が位置されるように構成されている。
【００２７】
この拡孔用ミシン目線５１，５１…の存在により、屈折片部３０，３０を構成するミシン目線３１，３２を裂開したのち、さらに各拡孔用ミシン目線５１を裂開し、この拡孔用ミシン目線の途中又は終端同士を結ぶ起立折り目線を残して切り起こすことで計４つの拡孔屈折片が形成される。
拡孔屈折片の起立折り目線は、拡孔用ミシン目線５１の終端５１ｂとするのが望ましく、この拡孔用屈折片の起立折り目線は、紙箱の底面と側面との稜線と平行となるのが望ましい。
【００２８】
従って、拡孔用ミシン目線５１の終端５１ｂを結ぶ線で構成される四角形が長方形であり、かつ各辺が衛生薄葉紙収納箱の底面を構成する縁辺（稜線）１Ｌ，１Ｓと平行となっているのがよい。
この場合、短手稜線１Ｓに平行な短手方向折り線５１Ｓ及び長手稜線１Ｌに平行な長手方向折り線５１Ｌの具体的な長さとしては、短手方向折り線５１Ｓは、６５ｍｍ以上がよく、長手方向折り線５１Ｌは、８５ｍｍ以上がよい。
これらの長さを確保すれば、十分に箱内面に手をいれてアクセスすることが可能となる。また、短手方向折り線５１Ｓの長さと長手方向折り線５１Ｌの長さは入れ替えても良い。
【００２９】
使用の方法としては、例えば、衛生薄葉紙収納箱内のティシュペーパー残量が少なくなったときには、屈折片部３０，３０を箱内面側に押し上げて屈折片を形成し、ティシュペーパー束の上面を前記取り出し口近くに位置して取り出し性を向上させ、さらに、全てのティシュペーパーを使い切ったときに、その屈折片形成により必然的に紙箱の底面に形成される開口部から指を箱内にいれて、拡孔用ミシン目線５１を裂開させるようにして、外面側に拡孔屈折片を切り起こす。
この拡孔用屈折片の切り起こしにより形成される紙箱底面の開口部から、箱内にアクセスして内部の樹脂製フィルム２を箱内面から引き剥がして分離する。
また、ティシュペーパーを束として取り出したいときは、屈折片部を構成するミシン目線と拡孔用ミシン目線とを裂開して箱外面側に、拡孔用屈折片を切り起こし衛生薄葉紙収納箱内のティシュペーパー束を取り出すようにすればよい。
【００３０】
（第３の実施の形態）
次いで、第３の実施の形態を図６に基づいて説明する。
第３の実施の形態は、衛生薄葉紙収納箱底面の構成以外の構成については、第１の実施の形態と同様である。以下、第１の実施の形態と同様の構成については省略し、第１の実施の形態と相違する構成について説明する。
【００３１】
本形態の衛生薄葉紙収納箱Ｘ３は、前記紙箱１の底面１Ｂに屈折片部３０，３０を構成する共通ミシン目線３１と共有する共通ミシン目線３１’によって相接し、この共通ミシン目線３１に対して、屈折片部３０を構成する第１の非共通ミシン目線３２よりも端側で連なる非共通の拡孔用ミシン目線５１、５１を有する。
本形態におけるこの拡孔用ミシン目線５１は、屈折片部３０を構成する非共通のミシン目線（第１の非共通ミシン目線）３２と交わることなく配される。
【００３２】
従って、共通ミシン目線３１、３１’と拡孔用ミシン目線５１、５１とを裂開して拡孔用ミシン目線５１、５１の途中又は終端５１ｂ、５１ｂに形成された相互に平行な起立折目線部分を残して、それぞれ相対向して切り起こすと拡孔用屈折片部が形成される。
図示例では、第１の非共通ミシン目線３２と拡孔用ミシン目線５１とが一定間隔で並列されており、拡孔用屈折片部６０と屈折片部３０とが相似形をなしているが、かならずしもこれに限定されない。
他方、屈折片部３０，３０の起立折り目線３３，３３と拡孔用屈折片部６０，６０の起立折り目線６３，６３が平行に構成されているのが望ましく、また、各起立折り目線３３，６３は非共通のミシン目線３２，５１の終端から紙箱底面の稜線に平行となる線であるのがよい。
【００３３】
使用の方法については、第２の実施の形態と同様に、衛生薄葉紙収納箱内のティシュペーパー残量が少なくなったときには、屈折片部３０，３０を箱内面側に押し上げて、ティシュペーパー束の上面を前記取り出し口近くに位置して取り出し性を向上させ、さらに、全てティシュペーパーを使い切ったときに、その屈折片形成により必然的に紙箱の底面に形成される開口部から指を箱内にいれて、共通ミシン目線３１’をさらに裂開させるとともに、拡孔用屈折片を構成する非共通のミシン目線５１、５１を裂開して、外面側に拡孔屈折片を切り起こす。
この拡孔用屈折片の切り起こしにより形成される紙箱底面の開口部から、内にアクセスして内部の樹脂製フィルム２を箱内面から引き剥がして分離する。
また、ティシュペーパーを束として取り出したいときは、屈折片部３０を構成するミシン目線のうちの共通ミシン目線３０と拡孔用の共通及び非共通のミシン目線とを裂開して箱外面側に、拡孔用屈折片を切り起こし衛生薄葉紙収納箱内のティシュペーパー束を取り出すようにすればよい。
【産業上の利用可能性】
【００３４】
本発明は、所謂ポップアップ式で折り畳まれたシート束を収容する収容箱に利用可能である。
【図面の簡単な説明】
【００３５】
【図１】第１の実施の形態の衛生薄葉紙収納箱の上面側からの斜視図である。
【図２】第１の実施の形態の衛生薄葉紙収納箱のティシュペーパー引き出し時の斜視図である。
【図３】第１の実施の形態の衛生薄葉紙収納箱の底面側からの斜視図である。
【図４】第１の実施の形態の衛生薄葉紙収納箱の底面の蓋を開いた状態の斜視図である。
【図５】第２の実施の形態の衛生薄葉紙収納箱の底面図である。
【図６】第３の実施の形態の衛生薄葉紙収納箱の底面図である。
【符号の説明】
【００３６】
１…紙箱、１Ｕ…紙箱上面、１Ｂ…紙箱底面、１Ｌ…長手稜線、１Ｗ…箱底面の開口部、１ｂ…紙箱外面の模様を構成する図（花の絵）、２…樹脂製フィルム、２ａ…樹脂製フィルムの地の部分、２ｂ…樹脂製フィルムの模様を構成する図（花の絵）、１１…環状ミシン目線、１１ａ…環状ミシン目線により囲まれる範囲、１２…取り出し口、２１…スリット、３０…屈折片、３１，３１’…共通ミシン目線、３２…非共通ミシン目線、３３…起立折目線部分、４０…ヒンジ蓋部、４０Ｆ…蓋、４１…ヒンジ、４２…ヒンジ蓋部構成ミシン目線、４３…摘み端部、５１…拡孔用ミシン目線，５１ａ…拡孔用ミシン目線の屈折片部側の端、５１ｂ…拡孔用ミシン目線の終端、５１Ｓ…短手方向起立折り線、５１Ｌ…長手方向起立折り線、６０…拡孔用屈折片部、Ｐ…ティシュペーパー、Ｘ１〜Ｘ３…衛生薄葉紙収納箱。
【手続補正２】
【補正対象書類名】特許請求の範囲
【補正対象項目名】全文
【補正方法】変更
【補正の内容】
【特許請求の範囲】
【請求項１】
上面に環状のミシン目線を有する直六面体状の紙箱と、前記ミシン目線内範囲を内側から覆うスリットを有する樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、これに連なる非共通のミシン目線を有し、基端に形成された相互に平行な起立折目線部分を残して、それぞれ裂開可能でかつ相対向して切り起こし可能な２個の屈折片と、
底面と側面との間の稜線の一辺の一部をヒンジとして、そのヒンジ両端から平行な反対側の稜線に向かって延在する、屈曲可能とされるミシン目線により形成されるヒンジ蓋部とを有し
前記ヒンジ蓋部内に前記屈折片が位置されているとともに、ヒンジ蓋部を構成するミシン目線と屈折片を構成するミシン目線とが不連続である、
ことを特徴とする衛生薄葉紙収納箱。
【請求項２】
上面に環状のミシン目線を有する直六面体状の紙箱と、前記ミシン目線内範囲を内側から覆うスリットを有する樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通の裂開用ミシン目線によって相接し、これに連なる非共通の裂開用ミシン目線を有し、基端に形成された相互に平行な起立折目線部分を残して、それぞれ裂開可能でかつ相対向して切り起こし可能な２個の屈折片部と、
前記非共通ミシン目線の途中及び前記非共通ミシン目線の起立折面目線側端にそれぞれ端を発して、紙箱の稜線に向かって放射線状に直線又はアーチ状をもって延在する４本の拡孔用ミシン目線を有し、これら拡孔用のミシン目線の途中又は終端同士を結ぶ起立折り目線を残して切り起こし可能とされた拡孔屈折片部と、
を有することを特徴とする衛生薄葉紙収納箱。
【請求項３】
上面に環状のミシン目線を有する直六面体状の紙箱と、前記ミシン目線内範囲を内側から覆うスリットを有する樹脂製フィルムとを有し、
前記スリットが環状ミシン目線内範囲に位置され、前記環状ミシン目線に沿ってミシン目線に囲まれる範囲を引き剥がすことにより、取り出し口が形成されるとともに、前記樹脂製フィルム及びそれに形成されたスリットが取り出し口から露出される衛生薄葉紙収納箱であって、
前記紙箱の底面に；
共通のミシン目線によって相接し、この共通ミシン目線に連なる第１の非共通のミシン目線を有し、基端に形成された相互に平行な起立折目線部分を残して、それぞれ相対向して切り起こし可能な屈折片部と、
前記共通のミシン目線によって相接し、この共通ミシン目線の第１非共通ミシン目線よりも端側で連なる非共通の拡孔用ミシン目線を有し、基端に形成された相互に平行な起立折目線部分を残して、それぞれ相対向して切り起こし可能な拡孔用屈折片部と、
を有することを特徴とする衛生薄葉紙収納箱。
【国際調査報告】
2009004921.tif 000009
2009004921.tif 000010
2009004921.tif 000011
2009004921.tif 000012